(57)【要約】【課題】安価に細軸化が可能であり、組立性にも考慮し、落下衝撃に大しても作動不可能となる機構部の破損を招く事が無く、しかも外観デザインの自由度を高める棒状体収納容器、特に棒状体が揮発性成分を含むの棒状化粧料の収納容器を得る。【解決手段】棒状体ごと収納部を出没させるノック機構が設けられ、このノック機構はノック操作の度に所定の角度で回転する、外面に所定の間隔をおいて形成される複数のカムを持つ回転子、回転子を回転させるに駆動歯を設けたノック棒、ノック棒と回転子の動きを規制する条体を有する内筒、回転子を付勢するノックスプリングとを含み、収納容器を構成する。【選択図】図１
2008125763.tif 000002
【特許請求の範囲】
【請求項１】
棒状体を挿入する開口部と、筒状の外軸と、前記開口部と対向する前記外軸の開口部を封止する尾栓とを持った棒状体収納容器において、
前記棒状体を出没させるノック機構が設けられ、
このノック機構はノック操作の度に所定の角度で回転する回転子と、
この回転子の外面に所定の間隔をおいて形成される複数のカムと、
回転方向には規制され、かつ、軸方向には摺動可能な、先端部に駆動歯を設けたノック棒と、
内面に所定の間隔をおいて形成される複数の条体を有する内筒と、
前記回転子を付勢するノックスプリングとからなり、
前記回転子の軸方向に略線条に形成したその末端部を係合爪に形成するとともに、
前記各条体を軸方向に向けてその先端部を係合歯とし、
前記ノック棒後部には前記ノック棒と一体的に動く棒状体収納部を設け、
前記棒状体収納時に前記回転子を回転させて前記カムの係合爪と、前記条体の係合歯とを噛み合わせ、
前記棒状体収納部内の前記棒状体が該容器内に収納された状態で固定し、
前記棒状体使用時には前記回転子を回転させ前記カムと前記条体との噛み合わせを解除し、
前記各カムを、前記複数の条体間に位置させ、
前記棒状体収容部を後退可能とし、
収容された前記棒状体を前記開口部から突出させる事を特徴とする棒状体収納容器。
【請求項２】
前記ノック棒先端部に弾性変形可能の鍔部を設け、
筒状に形成された前記回転子を貫通し、
前記回転子を着脱不能にし前記回転子の軸方向の移動に対し、前記ノック棒も同時に移動する事を特徴とする請求項１に記載の棒状体収納容器。
【請求項３】
前記ノック棒に対して着脱不能な前記回転子と
前記ノック棒駆動歯先端に所定の間隔を設けた事を特徴とする請求項２に記載の棒状体収納容器。
【請求項４】
前記回転子に着脱不能に構成された前記ノック棒は前記内筒に対して押えスプリングで後方に付勢され、前記回転子と前記ノック棒係合歯先端に設けられた所定の間隔分を前記ノック棒が自在に移動しないよう規制した事を特徴とする請求項３に記載の棒状体収納容器。
【請求項５】
前記棒状体収納部内に軸線方向に移動可能なインナーキャップを設けたことを特徴とする請求項１から４に記載の棒状体収納容器。
【発明の詳細な説明】
【技術分野】
【０００１】
本発明は、棒状体筆記具、あるいは棒状体化粧具を収納する棒状体収納容器に関するものである。
【背景技術】
【０００２】
従来、棒状体化粧具等の筆記部の保護にはキャップが用いられている。これを、使用者の使い勝手を良くするために、本体に係止機構を有する作動体を設け、化粧具等の棒状体を収納、突出可能とし、携帯性を高めた収納容器が知られている（例えば特許文献１）。このような係止機構を設けた棒状体収納容器は、ハート型カムを係止機構とし、ハート型カム内を移動する係止部材と係止部材と軸方向に一体的に移動する棒状体収納部を設けた作動体と容器に対して作動体を付勢させるノックスプリングから構成されている。
しかしながらこの方法を採用する場合、収納容器において棒状体を収納、突出させる事が出来るものの、部品強度の観点から細軸化は高価となり、組立も複雑なものとなり組立性が悪く、落下時の衝撃や過度な力が機構部に掛かった場合に部材の破損や脱落などにより正常な作動が出来なくなってしまう恐れが多い。
また、このような構成では前記した通り、ハート型カムを使用するため、カム部と係止部材を平面上に位置させる事が必要となり、カム部に対して作動体を位置決めしなければならない。この事が組立性を悪くする一因となり、さらに外径が大きくなる等デザイン上の制約も出てきてしまう。
【０００３】
前記した機構とは別に、ノック操作を一定角度の回転運動に変換する、カム式ノック機構（いわゆるカーンノック機構）を、固形の棒状化粧料の繰り出し容器に応用した機構が提案されている（例えば特許文献２、３）。更には、この機構を液体化粧料の押し出し機構に応用した機構も知られている（例えば特許文献４）。
これらの機構は、前記した通り、繰り出し或いは押し出しの機構であり、棒状体を保護し、ノック動作により棒状体が押出され、簡単に棒状体を取り出すことが出来る機構とは異なるものである。
【特許文献１】実開平１−６３６８１
【特許文献２】実開昭６３−１３９８１３
【特許文献３】特開平９−３４７
【特許文献４】特開２００５−２１２４１８
【発明の開示】
【発明が解決しようとする課題】
【０００４】
本発明は、安価に細軸化が可能であり、組立性にも考慮し、落下衝撃に大しても作動不可能となる機構部の破損を招く事が無く、しかも外観デザインの自由度を高める棒状体収納容器、特に前記目的に加え、棒状体が化粧料の場合に、この棒状化粧料からの溶剤等の蒸発を抑え、落下衝撃からこの棒状化粧料を保護することが出来る棒状化粧料収納容器を提供する事を目的としている。
【課題を解決するための手段】
【０００５】
本発明者は、前記課題を解決するために、鋭意検討を行った結果、前記カム式ノック機構を変形させ、前記係止機構を設けた棒状化粧料容器に組み入れることにより前記目的の棒状体収納容器が得られることを見出し、本発明を完成するに至ったのである。
【０００６】
即ち、本発明は、次の（１）〜（５）に存する。
（１）棒状体を挿入する開口部と、筒状の外軸と、前記開口部と対向する前記外軸の開口部を封止する尾栓とを持った棒状体収納容器において、前記棒状体を出没させるノック機構が設けられ、このノック機構はノック操作の度に所定の角度で回転する回転子と、この回転子の外面に所定の間隔をおいて形成される複数のカムと、回転方向には規制され、かつ、軸方向には摺動可能な、先端部に駆動歯を設けたノック棒と、内面に所定の間隔をおいて形成される複数の条体を有する内筒と、前記回転子を付勢するノックスプリングとからなり、前記回転子の軸方向に略線条に形成したその末端部を係合爪に形成するとともに、
前記各条体を軸方向に向けてその先端部を係合歯とし、前記ノック棒後部には前記ノック棒と一体的に動く棒状体収納部を設け、前記棒状体収納時に前記回転子を回転させて前記カムの係合爪と、前記条体の係合歯とを噛み合わせ、前記棒状体収納部内の前記棒状体が該容器内に収納された状態で固定し、前記棒状体使用時には前記回転子を回転させ前記カムと前記条体との噛み合わせを解除し、前記各カムを、前記複数の条体間に位置させ、前記棒状体収容部を後退可能とし、収容された前記棒状体を前記開口部から突出させる事を特徴とする棒状体収納容器。
この第一の発明によれば、簡単なノック操作により、棒状体収納部に収納されて動く棒状体を出没させることが可能で、安価で、組立が容易で、棒状体及び容器そのものの耐衝撃性に優れた棒状体収納容器を得ることが出来る。
（２）前記ノック棒先端部に弾性変形可能の鍔部を設け、筒状に形成された前記回転子を貫通し、前記回転子を着脱不能にし前記回転子の軸方向の移動に対し、前記ノック棒も同時に移動する事を特徴とする（１）に記載の棒状体収納容器。
この第二の発明によれば、ノック棒と一体の棒状体収納部が、内筒に保持されている回転子に固定され軸方向に勝手に摺動することが防止され、かつ、ノック棒と回転子を押圧して嵌合させることが可能で、単純な工程で組立が可能となる。
（３）前記ノック棒に対して着脱不能な前記回転子と、前記ノック棒駆動歯先端の間に所定の間隔を設けた事を特徴とする（２）に記載の棒状体収納容器。
この第三の発明によれば、第二の発明の棒状体収納容器に加え、更にノック動作時に回転子の回転を阻害しない棒状体収納容器の実現が可能となる。
（４）前記回転子に着脱不能に構成された前記ノック棒は前記内筒に対して押えスプリングで後方に付勢され、前記回転子と前記ノック棒係合歯先端に設けられた所定の間隔分を前記ノック棒が自在に移動しないよう規制した事を特徴とする（３）に記載の棒状体収納容器。
この第四の発明によれば、第三の発明の着脱不能な回転子とノック棒先端の間に設けた間隔分の「ガタ」が無い、スムーズなノック感の得られる棒状体収納容器の実現が可能となる。
（５）前記棒状体収納部内に軸線方向に移動可能なインナーキャップを設けたことを特徴とする（１）から（４）に記載の棒状体収納容器。
この第五の発明によれば、前記第一から第四までの発明による棒状体収納容器に加え、棒状体が、溶剤を含む棒状化粧料などの場合に、棒状体収納時、溶剤などが蒸発しにくい棒状体収納容器を得ることができる。
【発明の効果】
【０００７】
本発明によれば、使用者のノック動作により棒状体が取り出せるような位置に、棒状体の一部が飛び出し、収納時にもノック動作により棒状体が収納容器内に収納・係止され、棒状体を保護することのできる棒状体収納容器を得ることができる。更に第二の発明以降の発明を付加することによって、単純な工程で安価に製造が可能で、スムーズなノックによる棒状体の出没が可能で、収納時に棒状体にガタが無く、棒状体が溶剤を含む棒状化粧料である場合に、溶剤の蒸発を抑制できる性能をも付加された棒状体収納容器を得ることが可能となる。
【発明を実施するための最良の形態】
【０００８】
以下に、本発明の実施形態を詳しく説明する。
本発明による棒状体収納容器の、棒状体収納時動作の概略は次の通りである。本出願明細書においては、棒状体収納容器の尾栓によって封止された方向を前方、棒状体が収納されている方向、即ち使用者がノック動作を行う方向を後方とする。
【０００９】
棒状体収納容器に棒状体を収納する場合、収納する棒状体を収納容器開口部から挿入すると、棒状体は収容容器内の収容部に収容される、更に押圧すると収容部と一体的に構成された、先端に駆動歯を持つノック棒が押圧され、ノック棒前方に設けられた、鋸歯を後方に持つ回転子に、駆動歯と鋸歯が噛み合わされずに接触する。更にノック棒が押圧されると、回転子前方に設けられたノックスプリングが圧縮しつつ、回転子は内筒内側に設けられた条体と回転子のカムが噛みあった状態で、その条体に沿ってスライドさせられる。ノック棒が最前方までノックされると、内筒条体から回転子が、ノックスプリングによって後方に押圧されたまま、外れることになる。内筒条体の規制から外れた回転子は、ノック棒先端の駆動歯と回転子の鋸歯が噛みあう事により、所定の角度だけ、回転させられる。
【００１０】
次に、最前方までノックしたことを感得した使用者が押圧力を緩めると、ノックスプリングの押圧力によって回転子が後方に戻される。回転子は既にノック棒の駆動歯と回転子の鋸歯の噛みあいによって、一定角度回転しているので、回転子のカムは内筒条体へは戻らない。今度は回転子カム後方に設けられた係合歯と内筒前方に設けられた係合爪とが噛み合わずに当接されることとなる。すると噛み合わずに当接された係合歯と係合爪は、ノックスプリングの押圧力を受け、完全に噛み合うように、所定の角度回転しながらスライドする。ここで噛み合った内筒の係合爪には条体は設けられておらず、回転子、ノック棒、棒状体を含む収容部は、後方へスライドせず、棒状体収納容器奥に係止させられた状態で収納状態となる。
【００１１】
逆に、棒状体を使用する場合には、収納されている棒状体後端部を押圧し、内筒条体の係合爪と回転子カムの係合歯の噛み合いを解除する。そうすると今度は、収納時に噛み合っていなかった、ノック棒先端の駆動歯と回転子の鋸歯が噛み合うように所定の角度スライドし（回転子が回転する）、回転子カムの係合爪と内筒条体の係合歯の噛み合いが解除された位置に置かれる。
【００１２】
最前方までノックしたことを感得した使用者が押圧力を緩めると、ノックスプリングの押圧力によって回転子が後方に戻される。回転子は既にノック棒の駆動歯と回転子の鋸歯の噛みあいによって、一定角度回転しているので、回転子のカムは内筒条体の前記収納位置へは戻らない。回転子のカムの係合歯は内筒条体の、後方まで続く条体が設けられた係合爪に当接される。更にノックスプリングの押圧力によって係合歯（カム）は係合爪の斜面をスライドして行き、回転しながら条体へと追い込まれて行く。そして、条体に沿って回転子が後方へ押出されるので、ノック棒、棒状体を含む収容部が後方へ押出され、棒状体が突出状態となり、容器本体より棒状体が容易に取り出すことの出来る状態となる。
【００１３】
通常の使用においては、前記のような動作の棒状体収納容器で使用者の利便を満たすに十分であるが、前記ノック棒を、その先端部で回転子と係合するように構成させることによって、棒状体を収納している時に、後方を上向き、かつ、前方を下向きにして衝撃を加えてもノック棒を含む収容部が、回転子と離間すること（即ち棒状体が飛び出すこと）無く、使用を継続することができる。この場合、ノック棒の先端は弾性変形可能な顎部が設けられるので、前記駆動歯は先端を避け、その近傍の側面に設けられる。一方、回転子にも前記顎部を係合させるための貫通孔を設けるため鋸歯は、ノック棒の駆動歯と噛み合うことのできる貫通孔周縁部に設けられる。
【００１４】
また、ノック棒と回転子を係合させた場合、駆動歯と鋸歯に間隔が設けられていれば、お互い密着した状態よりは、回転子の駆動がよりスムーズに行く。そこで駆動歯と鋸歯の間に所定の間隔を設けることで、よりスムーズな回転子の駆動を得ることができる。
【００１５】
また、ノック棒と回転子を係合させた場合、ノックスプリングの押圧力により、ノック棒、ひいては棒状体がノックスプリングの自由長近くまで突出させられることが予想される。この時、所望の長さだけ棒状体を突出させるためノック棒の移動を内筒条体などに規制部を設け、規制しても良い。
【００１６】
以上に述べた棒状体収納容器に収納する棒状体が、棒状の化粧料であって、その組成中に揮発しやすい溶剤を含むとき、収容部内、棒状化粧料の先端部を覆う位置にインナーキャップを設けても良いものである。この棒状化粧料が、いわゆる化粧鉛筆と言われるような、使用とともに棒状体が切削され短くなっていくような場合には、インナーキャップに押圧用のインナーキャップスプリングを設け、化粧鉛筆が短くなっても先端部に追いつき、先端部を覆うように構成しても良い。
【実施例】
【００１７】
次に、実施例１〜３によって本発明を更に詳しく説明するが、本発明はこれら実施例等により限定されるものではない。
【００１８】
〔実施例１〕本実施の形態における第１の実施例の棒状体収納容器は、図１（ａ）、（ｂ）、図２に示すように、筒状に形成された外軸１と、後端部に収納時に収納部１０と嵌合する天冠３を配した化粧具などの棒状体Ｘと、前記棒状体収納部１０を一体的に形成し、止め部材４により外軸１より脱落不能になっているノック棒１１を含むノック機構とからなる。なおノック棒１１と棒状体収納部１０は実施例のように一体的に形成されても良いし、別部品としても良い。
【００１９】
ノック機構部は、図３に拡大して示すように、外周面に複数のカム２１ａを設けた回転子２１と、内周面に複数の条体２０ａ、２０ａを設けた内筒２０と、図７に示すようなノック棒ガイドリブ１１ｂと図６に示すような内筒溝部２０ｃにより、内筒に対して回転不能で軸方向には摺動可能な先端部に駆動歯１１ａを設けたノック棒１１と、内筒２０に回転子２１を付勢させるように設けたノックスプリング２２と、ノックスプリングを固定する尾栓２とから構成される。
【００２０】
回転子２１は、図４に示すように片側端面に連続した複数の鋸歯２１ｃが周方向に周設される。外周部に設けられたカム２１ａが内筒２０内周面の条体２０ａとスライド可能に嵌入され、棒状体Ｘ収納時のノック操作の度に所定の角度回転する。
外周部に設けられたカム２１ａは軸方向に略線条に形成され、先端部には係合爪２１ｂが形成されている。
【００２１】
ノック棒１１は、図５に示すように回転子２１のカム２１ａの面に接触する対向接触面に、鋸歯２１ｃと完全又は不完全に噛合する駆動歯１１ａが設けられる。ここでは、駆動歯１１ａはノック棒１１の周方向に設けられたガイドリブ１１ｂの前端部となっており、図６に示すようにガイドリブ１１ｂが内筒に設けられた溝部２０ｃにスライド可能に挿入されるとともに、内筒２０とノック棒１１の回転を規制する。またノック棒１１先端部には棒状体収納時に内筒溝部２０ｃと係合する係合部１１ｃを設けている。
【００２２】
内筒２０は、図６、図７（ａ）、（ｂ）、（ｃ）に示すように筒状に形成され、内周面に円周状に回転子２１がスライド可能な条体２０ａを設け、条体２１ａ先端部には回転子２１を所定の角度回転させる係合歯２０ｂを設けている。またノック棒１１が挿通する上部には溝部２０ｃが設けられ、ノック棒のガイドリブ１１ｂがスライド可能で回転方向には規制される状態で組みつけられる。さらに上部に段部２０ｄを設けており、回転子２１はこの段部２０ｄでノックスプリング２２による付勢力を受けて係止する。図７（ａ）のＡ−Ａ断面を表したものが図７（ｂ）であり、Ｂ−Ｂ断面を表したものが図７（ｃ）となっている。
【００２３】
ノックスプリング２２は、回転子２１と内筒端面に配置される尾栓２との間に敷設され、回転子２１を常に押し上げる弾性力が働いている。
【００２４】
このように構成される棒状体収納容器は、棒状体Ｘを収納容器本体１内の棒状体収収納部１０に挿入し、棒状体天冠部３と収納部１０を嵌合させた状態で押圧し、ノック機構を作動させることにより、収納する棒状体Ｘを収納容器内で規制、収納し、棒状体Ｘ使用時には規制されている棒状体Ｘ後端を押圧してノック機構を作動させることにより収納容器本体１内から棒状体を突出させる事が可能となる。
【００２５】
次に実施例１に示す棒状体収納容器の作動について詳しく説明する。
図８は初期状態で棒状体Ｘを収納していない状態であり、図９はこの状態の時の機構部カム展開図である。回転子２１はノックスプリング２２により内筒上部段部２０ｄに押し付けられた状態となっている。ノック棒１１は棒状体収納部１０と一体的に形成されており、止め部材４により収納容器本体１より脱落防止されており、回転子２１と止め部材４により規制されている。
【００２６】
この時回転子２１の鋸歯２１ｃとノック棒先端部に設けられた駆動歯１１ａは図９に示すように完全に噛み合っておらず、互いの歯先端部は形成されている斜面の略中間部に位置している、またノック棒１１は図７に示したようにガイドリブ１１ｂと内筒溝部２０ｃにより回転方向に規制されている。
【００２７】
図１０は収納容器１に棒状体Ｘを挿入した状態である。棒状体Ｘ後端部には天冠３が配置され、天冠３と棒状体収納部１０が嵌合する事により棒状体Ｘを保持する。この嵌合力はノックスプリング２２の変形が始まる荷重より十分弱い。
【００２８】
図１１は棒状体収納部１０に保持された棒状体Ｘをノックスプリング２２を圧縮しながら押し込み中の状態である。収納部１０はノック棒１１と一体的に形成されており、棒状体Ｘを押し込むことによりノック棒１１が回転子２１を内筒２０内でスライドさせる。この時回転子２１は図９に示す状態のまま内筒条体２０ａに規制され回転することなくスライドし、ノック棒先端駆動歯１１ａと回転子鋸歯２１ｃは初期状態と同様完全に噛合っていないままノック棒１１と共に内筒２０内をスライドする。
【００２９】
図１２は棒状体Ｘをフルノックした状態であり、図１３はこの時のカム展開図である。図１３に示すように回転子２１は内筒２０の規制から完全に外れ、外れると同時に回転子２１はノック棒駆動歯１１ａの斜面を滑り回転し、回転子鋸歯２１ｃとノック棒駆動歯１１ａは完全に噛み合った状態となる。この時回転子カム係合爪２１ｂは内筒の係合歯２０ｂ先端に対してズレた状態となる。
【００３０】
図１４は棒状体Ｘのノック解除初期の状態であり、図１５はこの時のカム展開図である。図１５に示すように、ノック棒Ｘと完全に噛み合っている回転子２１は、ノックスプリング２２に付勢され上方へ移動し、カム部係合爪２１ｂが内筒２０の係合歯２０ｂ先端に対してズレた状態であるため内筒の係合歯２０ｂと回転子係合爪２１ｂが噛合い始める。
【００３１】
図１６は回転子２１のカム２１ａが内筒２０の係合爪２１ｂと噛み合った状態であり、図１７はこの時のカム展開図である。この状態では回転子２１は内筒２０に規制され、ノック棒１１を押し上げる事は出来ない。ノック棒１１は先端付近に設けられた係合部１１ｃで内筒係合部２０ｅと係合し図１６に示すように本体内に保持された状態となる。
この状態で棒状体Ｘは収納状態となる。収納状態では回転子鋸歯２１ｃとノック棒駆動歯１１ａは棒状体を収納していない初期状態と同様完全に噛み合っていない。
【００３２】
図１８は収納状態を解除するため棒状体Ｘを押圧した時のカム展開図である。押圧時、ノック棒駆動歯１１ａと回転子鋸歯２１ｃは完全に噛み合っていない状態で内筒２０に規制されスライドする。図１９は内筒２０の規制が外れた状態を示しており、回転子鋸歯２１ｃはノック棒駆動歯１１ａの斜面を滑りながら回転し、回転子２１はノック棒駆動歯１１ａと完全に一致する。この時回転子カム部２１ａは内筒条体２０の係合歯から外れた状態となり、カム部係合爪２１ｂは内筒条体の係合歯２０ｂとズレた状態となる。またこの状態は図１２と同様のフルノック状態でもある。
【００３３】
図２０は棒状体Ｘの押圧を解除している状態のカム展開図であり、内筒の係合歯２０ｂから外れた回転子カム部２１ｂは押し圧を解除していくと円周状に複数形成されている次の係合爪が内筒の係合歯２０ｂと噛み合い始め、内筒の係合歯２０ｂを滑りながら回転し、図２１のカム展開図が示すように、図１１の状態と同様、条体内を後方へスライドする。この時、棒状体Ｘは収納容器本体から突出した状態となり、図９、図１０初期状態に戻る。突出した棒状体Ｘは使用する場合、手で摘み出し易くなっている。
【００３４】
このような作動を繰り返すことでノックごとに棒状体を収納、突出させる事が可能となる。
【００３５】
〔実施例２〕本実施の形態における第２の実施例の棒状体収納容器は、図２２（ａ）、（ｂ）、図２３に示すように、筒状に形成された外軸１と、後端部に収納時に収納部１０と嵌合する天冠３を配した化粧具などの棒状体Ｘと、前記棒状体収納部１０と一体的に形成し、ノック棒１１先端が回転子２１を係止する事で外軸１より脱落不能になっているノック棒１１を含むノック機構とからなる。なおノック棒１１と棒状体収納部１０は実施例のように一体的に形成されても良いし、別部品としても良い。
【００３６】
ノック機構部は、図２４に示すように、筒状に形成された外周面に複数のカム２１ａを設けた回転子２１と、内周面に複数の条体２０ａを設けた内筒２０と、図２８に示すようにノック棒ガイドリブ１１ｂと内筒溝部２０ｃにより、内筒に対して回転不能で軸方向には摺動可能であり先端部に駆動歯１１ａを設け、先端部に配された鍔部１１ｄにより回転子２１を着脱不能にしたノック棒１１と、内筒２０に回転子２１を付勢させるように設けたノックスプリング２２と、内筒２０とノック棒１１の間に配された押えスプリング２３と、ノックスプリング２２を固定する尾栓２とから構成される。またノック棒１１は回転子２１を着脱不能にしているため、ノック作動を行うためノック棒駆動歯１１ａと回転子鋸歯２１ｃに間隔Ｓを設けている。
【００３７】
回転子２１は、図２５に示すように筒状に形成されており、片側端面に、連続した複数の鋸歯２１ｃが周方向に周設される。外周部に設けられたカム２１ａが内筒内周面の条体２０ａとスライド可能に嵌入され、棒状体Ｘ収納時のノック操作の度に所定の角度回転する。
外周部に設けられたカム２１ａは軸方向に略線条に形成され、先端部には係合爪２１ｂが形成されている。
【００３８】
ノック棒１１は、図２６に示すように回転子カム２１ａ面に接触する対向接触面に、鋸歯２１ｃと完全又は不完全に噛み合いをする駆動歯１１ａが周方向に設けられる。このノック棒に設けられた駆動歯１１ａはガイドリブ１１ｂとしての機能も併せ持ち、ガイドリブ１１ｂが内筒に設けられた溝部２０ｃにスライド可能に挿入されるとともに、内筒条体２０とノック棒１１の回転を規制する。
また駆動歯１１ａ先端より先の部分にスリット１１ｅを設けた鍔部１１ｄを設け、この鍔部１１ｄが弾性変形し、筒状に形成された回転子２１を挿通し、回転子２１を着脱不能に係止可能とする。この時、回転子２１は回転可能であるが、軸方向の移動は規制される。図２４に示されるように軸方向への移動は所定の間隔Ｓで規定され、この間隔はノック動作時に回転子２１の回転を阻害しないよう、回転子鋸歯２１ｃまたはノック棒駆動歯１１ａのいずれか高い方より大きい必要がある。
【００３９】
内筒２０は、図２７、図２８に示すように筒状に形成され、内周面に円周状に回転子２１がスライド可能な条体２０ａを設け、条体先端部には回転子２１を所定の角度回転させる係合歯２０ｂを設けている。またノック棒１１が挿通する上部には溝部２０ｃが設けられ、ノック棒ガイドリブ１１ｂがスライド可能で回転方向には規制される状態で組みつけられる。さらに上部に段部２０ｄを設けており、回転子２１はこの段部でノックスプリング２２による付勢力を受けて係止する。
【００４０】
ノックスプリング２２は、回転子２１と内筒端面に配置される尾栓２との間に敷設され、回転子２１を常に押し上げる弾性力が働いている。
【００４１】
押えスプリング２３は、内筒２０とノック棒１１の間に敷設され、常にノック棒１１を後方へ付勢する。これは回転子２１と回転子を着脱不能にするノック棒１１の間に設けられた間隔Ｓにより、ノック棒が自在に動く事を防止する目的であり、仕様、コストによっては押えスプリング２３を敷設する必要は無く、ノック作動に影響を与えない。
【００４２】
このように構成される棒状体収納容器は、棒状体Ｘを収納容器本体内の棒状体収容部１０に挿入し、棒状体天冠３と収容部１０を嵌合させた状態で押圧し、ノック機構を作動させることにより、収納する棒状体Ｘを収納容器１０内で規制、収納し、棒状体Ｘ使用時には規制されている棒状体Ｘを押圧してノック機構を作動させることにより収納容器本体内から棒状体Ｘを突出させる事が可能となる。
【００４３】
次に実施例２に示す棒状体収納容器の作動について詳しく説明する。
図２９は初期状態で棒状体Ｘを収納していない状態であり、図３０はこの時のカム展開図である。回転子２１はノックスプリング２２により内筒上部段部２０ｄに押し付けられた状態となっている。ノック棒１１は棒状体収納部１０と一体的に形成されており、先端鍔部１１ｄで回転子２１と係止しており、その係止により収納容器本体１より脱落防止されている。ノック棒駆動歯１１ａと回転子鋸歯２１ｃには間隔Ｓが設けられ、押えスプリング２２によって間隔Ｓ分隙間が開いた状態でノック棒１１は後方へ付勢されている。
この時、図３０に示すように回転子の鋸歯２１ｂとノック棒先端に設けられた駆動歯１１ａは間隔Ｓ分隙間があいていて、完全に噛み合っておらず、互いの歯先端部は、形成されている斜面の略中間部に位置している、またノック棒１１は図７（ｂ）に示したようにガイドリブ１１ｂと内筒溝部２０ｃにより回転方向に規制されている。
【００４４】
図３１は収納容器に棒状体Ｘを挿入した状態である。棒状体Ｘ後端部には天冠３が配置され、天冠３と棒状体収納部１０が嵌合する事により棒状体Ｘを保持する。この嵌合力はノックスプリング２２、押えスプリング２３の変形が始まる荷重より十分弱い。
【００４５】
図３２は棒状体収納部１０に保持された棒状体Ｘを押し込み中の状態であり、図３３はこの時のカム展開図である。棒状体収納部１０はノック棒１１と一体的に形成されており、棒状体Ｘを押し込むことにより押込初期でノック棒１１と内筒２０間に敷設された押えスプリング２３を間隔Ｓ分圧縮し、図３３に示すように回転子鋸歯２１ｃにノック棒先端駆動歯１１ａを接触させる。その後更に押圧する事で押えスプリング２３、ノックスプリング２２の圧縮が始まり、ノック棒１１が回転子２１を内筒条体２０ａ内でスライドさせる。
この時回転子２１は内筒条体２０ａに規制され回転することなくスライドし、ノック棒先端駆動歯１１ａと回転子鋸歯２１ｃは初期状態と同様完全に噛み合っていないままノック棒１１と共に内筒条体２０ａをスライドする。
【００４６】
図３４は棒状体Ｘをフルノックした状態であり、図３５はこの時のカム展開図である。図３５に示すように押圧を続けると回転子２１は内筒条体２０ａの規制から完全に外れ、外れると同時に回転子２１はノック棒駆動歯１１ａの斜面を滑り回転し、回転子鋸歯２１ｃとノック棒駆動歯１１ａは完全に噛み合った状態となる。この時回転子カム部係合爪２１ｂは内筒の係合歯２０ｂ先端に対してズレた状態となる。
【００４７】
図３６は棒状体Ｘのノック解除初期の状態であり、図３７はこの時のカム展開図である。図３７に示すように、ノック棒１１と完全に噛み合っている回転子２１は、ノックスプリング２２に付勢され上方へ移動し、カム部係合爪２１ｂが内筒の係合歯２０ｂ先端に対してズレた状態であるため内筒の係合歯２０ｂと回転子係合爪２１ｂが噛み合い始める。その後、図３８に示すように、回転子鋸歯２１ｃは内筒係合歯２０ｂの斜面を滑り回転しながらノック棒駆動歯１１ａを乗り越え無ければならず、この状態においてノック棒１１は先端鍔部１１ｄで回転子２１と係止されるため、回転子鋸歯２１ｃまたはノック棒駆動歯１１ａの高さの高い方より大きい間隔Ｓが設けられていなければ乗り越える事が不能となり作動不良となってしまう。
【００４８】
図３９は回転子のカム２１ａが内筒条体の係合歯２０ｂと噛み合い、押圧を解除した状態であり、図４０はこの時のカム展開図である。この状態では回転子は内筒２０に規制され、ノック棒１１を押し上げる事は出来ない。ノック棒１１は押圧が解除され内筒２０との間に押えスプリング２２を敷設しているため、後方へ力が付勢され、先端に設けられた鍔部１１ｄにより図４０に示すように回転子鋸歯２１ｃとノック棒駆動歯１１ａに間隔Ｓをあけ、回転子２１に係止された状態となる。
この状態で棒状体Ｘは収納状態となる。回転子鋸歯２１ｃとノック棒駆動歯１１ａは棒状体Ｘを収納していない初期状態と同様に完全に噛み合っていない。
【００４９】
図４１は収納状態を解除するため棒状体Ｘを押圧した状態のカム展開図である。押圧時、図４１に示すように押えスプリング２３を圧縮しノック棒駆動歯１１ａは間隔Ｓ分移動した後、ノックスプリング２２の圧縮が始まり回転子鋸歯２１ｃと完全に噛み合っていない状態で内筒条体２０ａに規制されスライドする。更に押圧を続け、図４２のカム展開図に示すように条体の規制が外れた段階で回転子鋸歯２１ｃはノック棒駆動歯１１ａの斜面を滑りながら回転し、回転子２１はノック棒駆動歯１１ａと完全に一致する。この時回転子カム部２１ａは内筒条体の係合歯２０ｂから外れた状態となり、図３４に示すフルノック状態となる。
【００５０】
図４３は棒状体Ｘの押圧解除を更に進めた時のカム展開図である。図４３に示すように内筒条体の係合歯２０ｂから外れた回転子カム２１ａは押し圧を解除すると共に、カム部係合爪２１ｂが円周状に複数形成されている次の内筒条体の係合歯２０ｂと噛み合う位置であり、更に押圧を解除する事で図４４に示すように間隔Ｓを設けてあるため内筒条体の係合歯２０ｂを滑りながら回転しノック棒駆動歯１１ａは回転子鋸歯２１ｃを乗り越え、図４５に示すように条体２０ａ内を後方へスライドする。その後、押圧を完全に解除すると図４６に示すようにノック棒駆動歯１１ａと回転子鋸歯２１ｃは間隔Ｓをあけ、棒状体Ｘは収納容器本体１から突出した状態となり、図３１初期状態に戻る。突出した棒状体Ｘは使用する場合、手で摘み出し易くなっている。
【００５１】
このような作動を繰り返すことでノックごとに棒状体Ｘを収納、突出させる事が可能となる。
【００５２】
〔実施例３〕実施例１または実施例２の様に構成された棒状体収納容器において、収納する棒状体Ｘが揮発成分を含む原料で構成される場合に、図４７に示すように棒状体収納部１０内にインナーキャップ３０を設ける。
インナーキャップ３０は棒状体Ｘ先端部を覆い、インナーキャップスプリング２４により棒状体Ｘに押し付けられている。インナーキャップスプリング２４の力は棒状体Ｘと棒状体収納部１０の嵌合力より弱く設定されている。
さらに使用すると磨耗していく棒状体Ｙの場合、使用するたびに全長が短くなる。
図４８は棒状体Ｙの全長が短くなったことを示しており、この場合にもインナーキャップ３０はインナーキャップスプリング２４により棒状体Ｙに押し付けられ棒状体Ｙの揮発を防止可能である。
【００５３】
以上のように本発明によれば、安価に細軸化が可能であり、組立性にも考慮し、落下衝撃に大しても作動不可能となる機構部の破損を招く事が無く、しかも外観デザインの自由度を高める棒状体収納容器を提供する事が可能になる。
【図面の簡単な説明】
【００５４】
【図１】（ａ）本発明の第一の実施例における棒状体収納時の棒状体収納容器の外面図である。
【図１】（ｂ）本発明の第一の実施例における棒状体収納時の棒状体収納容器の縦断面図である。
【図２】本発明の第一の実施例における棒状体収納容器の分解図である。
【図３】（ａ）本発明の第一の実施例における棒状体収納時の棒状体収納容器の縦断面図であり、（ｂ）は主要部の拡大図である。
【図４】（ａ）、（ｂ）ともに回転子の詳細を示す斜視図である。
【図５】（ａ）は本発明第一の実施例における棒状体収納部と押し棒の一体部材の全体図であり、（ｂ）は押し棒主要部の拡大図である。
【図６】本発明の第一の実施例における内筒の縦断面図である。
【図７】（ａ）は本発明の第一の実施例における棒状体収納時の棒状体収納容器の断面図と、（ｂ）は（ａ）のＡ−Ａ断面の、（ｃ）は（ａ）のＢ−Ｂ断面の、それぞれ横断面図である。
【図８】本発明の第一の実施例における棒状体を収納していない時の棒状体収納容器の縦断面図である。
【図９】本発明の第一の実施例における棒状体収納容器の、ノック動作時の一場面におけるカム展開図である。
【図１０】本発明の第一の実施例における棒状体収納容器の、ノック動作時の一場面における容器の縦断面図である。
【図１１】本発明の第一の実施例における棒状体収納容器の、ノック動作時の一場面における容器の縦断面図である。
【図１２】本発明の第一の実施例における棒状体収納容器の、ノック動作時の一場面における容器の縦断面図である。
【図１３】、
【図１５】、
【図１７】乃至
【図２１】は、本発明の第一の実施例における棒状体収納容器の、ノック動作時の各場面におけるカム展開図である。
【図１４】本発明の第一の実施例における棒状体収納容器の、ノック動作時の一場面における容器の縦断面図である。
【図１５】本発明の第一の実施例における棒状体収納容器の、ノック動作時の一場面におけるカム展開図である。
【図１６】本発明の第一の実施例における棒状体収納容器の、ノック動作時の一場面における容器の縦断面図である。
【図１７】本発明の第一の実施例における棒状体収納容器の、ノック動作時の一場面におけるカム展開図である。
【図１８】本発明の第一の実施例における棒状体収納容器の、ノック動作時の一場面におけるカム展開図である。
【図１９】本発明の第一の実施例における棒状体収納容器の、ノック動作時の一場面におけるカム展開図である。
【図２０】本発明の第一の実施例における棒状体収納容器の、ノック動作時の一場面におけるカム展開図である。
【図２１】本発明の第一の実施例における棒状体収納容器の、ノック動作時の一場面におけるカム展開図である。
【図２２】（ａ）本発明の第二の実施例における棒状体収納時の棒状体収納容器の外面図である。（ｂ）本発明の第二の実施例における棒状体収納時の棒状体収納容器の縦断面図である。
【図２３】本発明の第二の実施例における棒状体収納容器の分解図である。
【図２４】（ａ）本発明の第二の実施例における棒状体収納時の棒状体収納容器の縦断面図であり、（ｂ）は主要部の拡大図である。
【図２５】（ａ）、（ｂ）ともに回転子の詳細を示す斜視図である。
【図２６】（ａ）は本発明第二の実施例における棒状体収納部と押し棒の一体部材の全体図であり、（ｂ）は押し棒主要部の拡大図である。
【図２７】本発明の第二の実施例における内筒の縦断面図である。
【図２８】（ａ）は本発明の第二の実施例における棒状体収納時の棒状体収納容器の断面図と、（ｂ）は（ａ）のＣ−Ｃ断面の、（ｃ）は（ａ）のＤ−Ｄ断面の、それぞれ横断面図である。
【図２９】本発明の第二の実施例における棒状体を収納していない時の棒状体収納容器の縦断面図である。
【図３０】本発明の第二の実施例における棒状体収納容器の、ノック動作時の一場面におけるカム展開図である。
【図３１】本発明の第二の実施例における棒状体収納容器の、ノック動作時の一場面における容器の縦断面図である。
【図３２】本発明の第二の実施例における棒状体収納容器の、ノック動作時の一場面における容器の縦断面図である。
【図３３】本発明の第二の実施例における棒状体収納容器の、ノック動作時の一場面におけるカム展開図である。
【図３４】本発明の第二の実施例における棒状体収納容器の、ノック動作時、一場面における容器の縦断面図である。
【図３５】本発明の第二の実施例における棒状体収納容器の、ノック動作時の一場面におけるカム展開図である。
【図３６】本発明の第二の実施例における棒状体収納容器の、ノック動作時の一場面における容器の縦断面図である。
【図３７】本発明の第二の実施例における棒状体収納容器の、ノック動作時の一場面におけるカム展開図である。
【図３８】本発明の第二の実施例における棒状体収納容器の、ノック動作時の一場面におけるカム展開図である。
【図３９】本発明の第二の実施例における棒状体収納容器の、ノック動作時の一場面における容器の縦断面図である。
【図４０】本発明の第二の実施例における棒状体収納容器の、ノック動作時の一場面におけるカム展開図である。
【図４１】本発明の第二の実施例における棒状体収納容器の、ノック動作時の一場面におけるカム展開図である。
【図４２】本発明の第二の実施例における棒状体収納容器の、ノック動作時の一場面におけるカム展開図である。
【図４３】本発明の第二の実施例における棒状体収納容器の、ノック動作時の一場面におけるカム展開図である。
【図４４】本発明の第二の実施例における棒状体収納容器の、ノック動作時の一場面におけるカム展開図である。
【図４５】本発明の第二の実施例における棒状体収納容器の、ノック動作時の一場面におけるカム展開図である。
【図４６】本発明の第二の実施例における棒状体収納容器の、ノック動作時の一場面におけるカム展開図である。
【図４７】本発明の第三の実施例における棒状体収納時の棒状体収納容器の縦断面図である。
【図４８】本発明の第三の実施例における、短くなった棒状体を収納した時の棒状体収納容器の縦断面図である。
【符号の説明】
【００５５】
１…収納容器本体
２…尾栓
３…天冠
４…止め部材
１０…棒状体収納部
１１…押し棒、１１ａ…駆動歯、１１ｂ…ガイドリブ、１１ｃ…係合部
２０…内筒、２０ａ…内筒条体、２０ｂ…係合歯、２０ｃ…内筒溝部、２０ｄ…段部、
２０ｅ…内筒係合部
２１…回転子、２１ａ…回転子カム、２１ｂ…回転子係合爪、２１ｃ…回転子鋸歯
２２…ノックスプリング
２３…押えスプリング
２４…インナーキャップスプリング
３０…インナーキャップ
【図１】
2008125763.tif 000003
【図２】
2008125763.tif 000004
【図３】
2008125763.tif 000005
【図４】
2008125763.tif 000006
【図５】
2008125763.tif 000007
【図６】
2008125763.tif 000008
【図７】
2008125763.tif 000009
【図８】
2008125763.tif 000010
【図９】
2008125763.tif 000011
【図１０】
2008125763.tif 000012
【図１１】
2008125763.tif 000013
【図１２】
2008125763.tif 000014
【図１３】
2008125763.tif 000015
【図１４】
2008125763.tif 000016
【図１５】
2008125763.tif 000017
【図１６】
2008125763.tif 000018
【図１７】
2008125763.tif 000019
【図１８】
2008125763.tif 000020
【図１９】
2008125763.tif 000021
【図２０】
2008125763.tif 000022
【図２１】
2008125763.tif 000023
【図２２】
2008125763.tif 000024
【図２３】
2008125763.tif 000025
【図２４】
2008125763.tif 000026
【図２５】
2008125763.tif 000027
【図２６】
2008125763.tif 000028
【図２７】
2008125763.tif 000029
【図２８】
2008125763.tif 000030
【図２９】
2008125763.tif 000031
【図３０】
2008125763.tif 000032
【図３１】
2008125763.tif 000033
【図３２】
2008125763.tif 000034
【図３３】
2008125763.tif 000035
【図３４】
2008125763.tif 000036
【図３５】
2008125763.tif 000037
【図３６】
2008125763.tif 000038
【図３７】
2008125763.tif 000039
【図３８】
2008125763.tif 000040
【図３９】
2008125763.tif 000041
【図４０】
2008125763.tif 000042
【図４１】
2008125763.tif 000043
【図４２】
2008125763.tif 000044
【図４３】
2008125763.tif 000045
【図４４】
2008125763.tif 000046
【図４５】
2008125763.tif 000047
【図４６】
2008125763.tif 000048
【図４７】
2008125763.tif 000049
【図４８】
2008125763.tif 000050